(57)【要約】個人用皮膚処置のシステムであって、カメラを備えた一以上のポータブルコンピュータと、当該コンピュータで実行される一定数のソフトウェアアプリケーション（アプリ）と、一以上の電磁エネルギーを放出する家庭用美容トリートメント装置と、当該ポータブルコンピュータと当該美容トリートメント装置との間の一以上の通信リンクとを含む。アプリはコンピュータを用いて、皮膚セグメントの画像を分析かつ処理して当該画像から皮膚セグメントに関する情報を抽出することと、その抽出された情報に基づいて、皮膚セグメント内のトリートメント対象皮膚の区画のための光学エネルギーの特定最適処置量を決定することとを行わせるべく構成される。
2015531295.tif 000002
【特許請求の範囲】
【請求項１】
個人用皮膚処置のシステムであって、
カメラを備えた携帯電話又はタブレットコンピュータと、
電磁エネルギーを放出する家庭用美容皮膚トリートメント装置と
を含み、
前記家庭用美容皮膚トリートメント装置は、
少なくとも一つの電磁エネルギー源と、
少なくとも一つのディスプレイと、
少なくとも一つの通信リンクと、
前記携帯電話と前記家庭用美容皮膚トリートメント装置との間の通信リンクと
を含むシステム。
【請求項２】
前記携帯電話又はタブレットコンピュータはさらに、
皮膚セグメントの画像を撮影することと、
前記画像を分析かつ処理して前記画像から前記皮膚セグメントに関する情報を抽出することと、
抽出された前記情報に基づいて前記皮膚セグメント内の一以上の皮膚区画に対する電磁又は機械エネルギーの特定最適処置量を決定することと、
決定された電磁エネルギーの特定最適処置量に基づいて、電磁又は機械エネルギーを放出する家庭用美容皮膚トリートメント装置の設定を変更することと
を行うべく構成された美容皮膚処置ソフトウェアアプリケーション（アプリ）を実行するプロセッサを含む請求項１に記載のシステム。
【請求項３】
ユーザの皮膚に接着可能なパッチをさらに含む請求項１に記載のシステム。
【請求項４】
前記ユーザの皮膚に接着可能なパッチは、尺度バー、尺度フレーム、画像識別子及び皮膚色素基準の少なくとも一つを含む請求項３に記載のシステム。
【請求項５】
前記パッチは不透明、半透明又は透明である請求項３に記載のシステム。
【請求項６】
個人用皮膚処置のシステムであって、
カメラを備えた少なくとも一つのポータブルコンピュータと、
前記コンピュータで実行される少なくとも一つのソフトウェアアプリケーション（アプリ）と、
少なくとも一つの電磁エネルギーを放出する家庭用美容トリートメント装置と、
前記ポータブルコンピュータと前記美容トリートメント装置との間の少なくとも一つの通信リンクと
を含み、
前記アプリは前記コンピュータを用いて
皮膚セグメントの画像を分析かつ処理して前記画像から前記皮膚セグメントに関する情報を抽出することと、
抽出された前記情報に基づいて前記皮膚セグメント内の一以上の皮膚区画に対する光（光学）エネルギーの特定最適処置量を決定することと、
決定された前記光（光学）エネルギーの特定最適処置量に基づいて、光エネルギーを放出する家庭用美容トリートメント装置の設定を変更すること、及び、決定された前記光（光学）エネルギーの特定最適処置量に基づいて、光エネルギーを放出する家庭用美容トリートメント装置を作動させることの少なくとも一つと
を行わせるシステム。
【請求項７】
前記アプリはさらに、入力された美容装置を識別して対応するディスプレイを選択する請求項６に記載のシステム。
【請求項８】
前記アプリはさらに、
前記カメラが撮影した原画像を遠隔コンピュータに通信することと、
決定された光（光学）エネルギーの特定最適処置量に基づいて、識別された家庭用美容トリートメント装置の設定を変更すること、及び／又は、前記識別された家庭用美容皮膚トリートメント装置を作動させることと
を行う請求項７に記載のシステム。
【請求項９】
携帯電話又はタブレットコンピュータカメラが、毛に覆われた皮膚セグメントの画像を撮影する方法であって、
トリートメントが所望される皮膚セグメントの画像を撮影することと、
前記画像を分析かつ処理して前記画像から前記皮膚セグメントの一以上の部分に関する情報を抽出することと、
抽出された前記情報に基づいて前記皮膚セグメント内の一以上の皮膚区画に対する電磁又は機械エネルギーの特定最適処置量を決定することと
を含む方法。
【請求項１０】
前記皮膚セグメントの一以上の部分に関する情報は、前記皮膚セグメント上の毛の密度、個々の毛の直径、毛の色素沈着、皮膚の色素沈着、及び前記皮膚セグメント上の個々の毛の位置からなるパラメータ群から選択された少なくとも一つのパラメータを含む請求項９に記載の方法。
【請求項１１】
パラメータは、
トリートメント所望領域の色素パラメータと、
前記皮膚セグメントに適用される電磁エネルギーのパラメータと
をさらに含む請求項１０に記載の方法。
【請求項１２】
カメラが撮影した画像において前記皮膚セグメントの美容処置を目的とする前記特定最適処置量を決定するべく携帯電話又はタブレットコンピュータプロセッサを使用することをさらに含む請求項９に記載の方法。
【請求項１３】
前記皮膚セグメントの美容処置を目的としかつ撮影された画像に対応する特定最適処置量を、家庭用美容皮膚トリートメント装置に通信するべく前記携帯電話又はタブレットコンピュータプロセッサを使用することをさらに含む請求項１０又は１２に記載の方法。
【請求項１４】
前記皮膚セグメントの一以上の部分の画像をディスプレイ上に表示することと、
前記画像を携帯電話又はタブレットコンピュータのメモリに格納することと
をさらに含む請求項９に記載の方法。
【請求項１５】
前記皮膚セグメントの現在撮影中の画像を、現在の処置の適用に先立って又は先の処置中に撮影され、及び携帯電話又はタブレットコンピュータのメモリに格納された同じ皮膚セグメントの画像と比較することによって美容処置の進捗を監視することをさらに含む請求項９に記載の方法。
【請求項１６】
携帯電話又はタブレットコンピュータカメラを、
皮膚セグメントの画像を撮影することと、
決定された電磁エネルギーの特定最適処置量に基づいて、電磁エネルギーを放出する家庭用美容皮膚トリートメント装置の設定を変更することと
を目的として使用することをさらに含む請求項９に記載の方法。
【請求項１７】
携帯電話又はタブレットコンピュータカメラを、
皮膚セグメントの画像を撮影することと、
決定された電磁エネルギーの特定最適処置量に基づいて、電磁エネルギーを放出する家庭用美容皮膚トリートメント装置を作動させることと
を目的として使用することをさらに含む請求項９に記載の方法。
【請求項１８】
方法であって、
携帯電話又はタブレットコンピュータカメラを、美容のトリートメントがされる皮膚セグメントの画像を撮影することと、
前記画像を分析かつ処理して前記画像から前記皮膚セグメントの一以上の部分に関する情報を抽出することと、
決定された電磁又は機械エネルギーの特定最適処置量に基づいて、光エネルギーを放出する家庭用美容トリートメント装置の設定を変更すること、及び、前記決定された電磁又は機械エネルギーの特定最適処置量に基づいて、光エネルギーを放出する家庭用美容トリートメント装置を作動させることの少なくとも一つと
を目的として使用する方法。
【請求項１９】
方法であって、
トリートメントが所望される皮膚セグメントにパッチを適用することと、
携帯電話又はタブレットコンピュータのカメラを使用して、前記パッチを含む前記皮膚セグメントの画像を撮影することと、
撮影された前記画像をプロセッサのメモリに格納すること、撮影された原画像を遠隔コンピュータに通信すること、家庭用美容皮膚トリートメント装置の設定を変更すること、及び、家庭用美容皮膚トリートメント装置を作動させることの少なくとも一つを選択することと
を含む方法。
【請求項２０】
美容処置の進捗を監視する方法であって、
トリートメント対象皮膚セグメントの第１画像を撮影することと、
所望の美容皮膚トリートメント処置を前記皮膚セグメントに適用することと、
前記所望の美容皮膚トリートメント処置の前記皮膚セグメントへの適用に引き続き同じ皮膚セグメントの第２画像を撮影することと、
前記皮膚セグメントの撮影された前記第２画像を、同じ皮膚セグメントの撮影された前記第１画像と比較して前記美容皮膚トリートメント処置の進捗に関する情報を導出することと
を含む方法。
【請求項２１】
撮影された画像を携帯電話又はタブレットコンピュータのメモリに格納することをさらに含む請求項２０に記載の方法。
【発明の詳細な説明】
【技術分野】
【０００１】
本方法及びシステムは美容処置のシステム及び方法に関し、詳しくは皮膚用美容処置の方法及びシステムに関する。
【背景技術】
【０００２】
外見はほぼすべての人にとって重要である。近年、様々な美容処置の方法及びシステムが開発されている。こうした美容処置には、しわ除去、皮膚若返り、皮膚リサーフェシング、脱毛、トリートメント色素沈着病変、血管病変等のトリートメントが含まれる。こうした美容処置のいくつかでは、皮膚及び組織が、光照射（光）及びラジオ周波数（ＲＦ）のような一以上のタイプの電磁放射によるトリートメントを受ける。
【０００３】
近年、美容処置の適用を、専門の医院から外に出して家庭環境へと移動させる傾向が存在している。家庭環境では、ユーザは自宅のプライバシーにおいて美容処置を行うことができる。
【０００４】
この傾向により、家庭用美容処置装置の製造者は、その製品を、十分に安全に作ることで非専門家のユーザの操作を可能とし、便利かつ使い易くし、及び平均的ユーザにとってアクセス可能かつ購入し易くする取り組みに迫られている。
【０００５】
近年、ラップトップコンピュータ、タブレットコンピュータ、携帯電話（スマートフォン）のようなポータブルコンピュータが、通信及びテキスト編集装置を超えるものとなっており、その装置機能の多くは主に、ポータブルコンピュータと所望の機能又は関連ツールとのインタフェイスコードを与えるアプリケーション、すなわち愛称「アプリ」を介したツール又は他の外部ツールのコンポーネントとして使用されるようになっている。
【先行技術文献】
【特許文献】
【０００６】
【特許文献１】米国特許出願公開第２０１１／０３０１４４１（Ａ１）号明細書
【特許文献２】米国特許第６，４１９，９３５（Ｂ１）号明細書
【特許文献３】米国特許出願公開第２０１２／００２４３０８（Ａ１）号明細書
【特許文献４】米国特許出願公開第２０１１／０３１９９７１（Ａ１）号明細書
【発明の概要】
【０００７】
本システム及び方法は、ラップトップコンピュータ、タブレットコンピュータ及び携帯電話（スマートフォン）のようなポータブルコンピュータをすぐに利用できる非専門家のユーザが、当該ポータブルコンピュータと所望の機能又は関連ツールとのインタフェイスコードを与えるアプリケーション（アプリ）を使用して、皮膚に適用される家庭用美容処置装置の動作制御を可能とする美容システム及び方法を与えることを目的とする。
【０００８】
すなわち、一例によれば、システムは、ディスプレイ、カメラ及びプロセッサを有するポータブルコンピュータを含む。プロセッサは、当該カメラにより撮影された皮膚セグメントの画像を処理し、かつ、トランシーバ、並びに、当該コンピュータのトランシーバと家庭用美容皮膚トリートメント装置内部の遠隔コンピュータ又はコントローラいずれかとの間の無線又は有線通信リンクと通信するべく動作可能である。
【０００９】
他例によれば、コンピュータは、美容皮膚処置ソフトウェアアプリケーション（アプリ）も含む。これは、パーソナルコンピュータから直接取得され又はインターネットからダウンロードされ、かつ、当該コンピュータを、家庭用美容皮膚トリートメント装置のデータ取得及び処理コンポーネントに変換するべく動作可能である。
【００１０】
さらなる他例によれば、システムのポータブルコンピュータは、以下を行う美容皮膚処置ソフトウェアアプリケーション（アプリ）を実行するプロセッサを含む携帯電話又はタブレットコンピュータである。すなわち、皮膚セグメントの画像を撮影し、当該画像を分析かつ処理して当該画像から当該皮膚セグメントに関する情報を抽出し、抽出された情報に基づいて当該皮膚セグメント内の一以上の皮膚区画に対する電磁又は機械エネルギーの特定最適処置量を決定することと、電磁又は機械エネルギーを放出する家庭用美容皮膚トリートメント装置の設定を、決定された電磁エネルギーの特定最適処置量に基づいて変更することである。
【００１１】
またもさらなる他例によれば、システムアプリは、光エネルギーを放出する家庭用美容トリートメント装置を、決定された光（光学）エネルギーの特定最適処置量に基づいて作動させる。
【００１２】
他例によれば、システムは、ユーザの皮膚に接着可能な不透明、半透明又は透明パッチも含む。パッチは、尺度バー、尺度フレーム、画像識別子及び皮膚色素基準の一以上を有する。
【００１３】
さらなる他例によれば、すぐに利用できるラップトップコンピュータのようなポータブルコンピュータを用いる非専門家のユーザの、皮膚に適用される家庭用美容処置装置の動作方法も与えられる。これは、携帯電話又はタブレットコンピュータのカメラを使用して、トリートメントが所望される皮膚セグメントの画像を撮影することと、当該画像を分析かつ処理して当該画像から当該皮膚セグメントの一以上に関する情報を抽出することと、抽出された情報に基づいて当該皮膚セグメント内の一以上の皮膚区画に対する電磁又は機械エネルギーの特定最適処置量を決定することとを含む。
【００１４】
なおもさらなる他例によれば、方法は、皮膚セグメントの一以上の部分の画像をディスプレイ上に表示し、かつ、当該画像を携帯電話又はタブレットコンピュータのメモリに格納することも含む。
【００１５】
他例によれば、方法は、トリートメント対象皮膚セグメントの第１画像を撮影することと、所望の美容皮膚トリートメント処置を当該皮膚セグメントに適用することと、当該所望の美容皮膚トリートメント処置の当該皮膚セグメントへの適用に引き続き同皮膚セグメントの第２画像を撮影することと、当該皮膚セグメントの撮影された第２画像を同皮膚セグメントの撮影された第１画像と比較して当該美容皮膚トリートメント処置の進捗に関する情報を導出することとによって、美容処置の進捗を監視することも含む。
【００１６】
さらなる他例によれば、方法は、所望の皮膚トリートメントを目的として、特定最適量の電磁エネルギーを、当該電磁エネルギーを放出する家庭用美容皮膚トリートメント装置に手動で入力することも含む。
【図面の簡単な説明】
【００１７】
本方法及びシステムは、図面と併せて考慮される以下の詳細な説明から十分に理解かつ認識される。
【００１８】
【図１】一例に係るシステム及び方法のブロック図である。
【図２】一例に係る家庭用美容トリートメント装置を適用する方法の側面図の簡単な半ブロック図の例示である。
【図３Ａ】一例に係るポータブルコンピュータアプリケーション（アプリ）のディスプレイの簡単な例示である。
【図３Ｂ】一例に係るポータブルコンピュータのディスプレイ上にリアルタイムで見える撮影画像の簡単な例示である。
【図４Ａ】他例に係るポータブルコンピュータのディスプレイの簡単な例示である。
【図４Ｂ】他例に係る図４Ａのコンピュータのディスプレイ上にリアルタイムで見える撮影画像の簡単な例示である。
【図４Ｃ】さらなる他例に係るポータブルコンピュータのディスプレイの簡単な例示である。
【図４Ｄ】なおもさらなる他例に係る図４Ｃのコンピュータのディスプレイ上にリアルタイムで見える撮影画像の簡単な例示である。
【図５Ａ】一例に係る家庭用美容トリートメント装置を適用する方法に使用されるパッチの平面図の簡単な例示である。
【図５Ｂ】一例に係る家庭用美容トリートメント装置の使用においてパッチを適用する方法の、側方から見た斜視図の簡単な例示である。
【図６】他例に係る家庭用美容トリートメント装置の使用においてパッチを適用する方法の、側方から見た斜視図の簡単な例示である。
【図７】さらなる他例に係る家庭用美容トリートメント装置パッチを適用する方法の、側方から見た斜視図の簡単な例示である。
【図８】一例に係る家庭用美容トリートメント装置を使用する方法を例示するブロック図である。
【図９】他例に係る家庭用美容トリートメント装置を使用する方法を例示するブロック図である。
【発明を実施するための形態】
【００１９】
ここで図１を参照する。これは、一例に係るシステム及び方法のブロック図である。ポータブルコンピュータ１００はカメラ１０２及びプロセッサ１０４を含む。プロセッサ１０４は、カメラ１０２が撮影する画像３２０（図３Ｂ）、４２０（図４Ｂ）又は４２２（図４Ｄ）を処理し、かつ、トランシーバ１０６、及び、コンピュータ１００のトランシーバ１０６と遠隔コンピュータ１１２又は家庭用美容皮膚トリートメント装置１１４内部のコントローラ１１６のいずれかとの間の無線又は有線通信リンク１０８と通信する。
【００２０】
ポータブルコンピュータ１００は、タッチ作動表示画面１１８も含む。
【００２１】
コンピュータ１００は、美容皮膚処置ソフトウェアアプリケーション（アプリ）１２０も含む。これは、パーソナルコンピュータ（図示せず）から直接取得され又はインターネットからダウンロードされ、かつ、以下に詳述されるように、コンピュータ１００を、家庭用美容皮膚トリートメント装置１１４のデータ取得及び処理コンポーネントに変換するべく構成される。
【００２２】
一例に係る装置１００を適用する方法の側面図の簡単な半ブロック図の例示である図２に示されるように、例えば、アプリ１２０（図１）を実行するポータブルコンピュータ１００を、点線で表現されるように、皮膚セグメント１５０の画像３２０、４２０及び／又は４２２のような画像を撮影するべく使用することができる。ポータブルコンピュータ１０２は、カメラ１０６と、メモリを有するプロセッサ１０４と、装置１００又は遠隔コンピュータ１１２と同様の遠隔装置との通信リンク１０８とを含む任意の携帯装置である。コンピュータ１００の例には、ラップトップコンピュータ、タブレットコンピュータ及びスマートフォンが含まれるがこれらに限られない。
【００２３】
遠隔コンピュータ１１２は、家庭用美容皮膚トリートメント装置１１４のコントローラ１１６（図１）の外部にありかつこれと通信するか、又は、家庭用美容皮膚トリートメント装置１１４の中にコントローラ１１６（図２）と並列して含まれ若しくはこれを組み入れる。家庭用美容皮膚トリートメント装置１１４は、美容処置を行うべく電磁又は機械エネルギーを適用する美容装置である。美容処置は、脱毛、色素沈着病変等を含むがこれらに限られない。コントローラ１１６は、例えば、皮膚セグメント１５０に適用される電磁又は機械エネルギーの量、持続時間等のパラメータを制御するスイッチである。かかる電磁及び／又は機械エネルギーは、美容皮膚トリートメントを目的として一般に使用される電磁及び／又は機械エネルギーであって、光学エネルギー、電気エネルギー、熱エネルギー、振動エネルギー及び音響エネルギーを含むがこれらに限られない。
【００２４】
カメラ１０２が撮影した撮影画像３２０、４２０及び／又は４２２は、プロセッサ１０４に通信される。プロセッサ１０４はその後、画像３２０、４２０及び／又は４２２からの情報を分析かつ抽出し、その抽出された情報に基づいて、皮膚セグメント１５０内の一以上の皮膚区画（図示せず）に適用される電磁エネルギーの特定最適トリートメント量を決定する。撮影画像３２０、４２０及び／又は４２２と、抽出された情報と、決定された電磁エネルギーの特定最適トリートメント量との一以上がプロセッサ１０４のメモリに格納される。
【００２５】
付加的又は代替的に、プロセッサ１０４は、画像３２０、４２０及び／若しくは４２２のような撮影された原画像、画像３２０、４２０及び／若しくは４２２からの分析かつ抽出された情報、並びに／又は、その抽出された情報に基づいて皮膚セグメント内の一以上の皮膚区画に適用される電磁エネルギーの決定された特定最適トリートメント量を遠隔コンピュータ１１２に通信し、ひいては美容装置１１４の設定を変更する。
【００２６】
付加的又は代替的に、プロセッサ１０４は、画像３２０、４２０及び／又は４２２からの情報を分析かつ抽出し、その抽出された情報に基づいて皮膚セグメント内の一以上の皮膚区画に適用される電磁エネルギー特定最適トリートメント量を決定し、及び、その決定された電磁エネルギーの特定最適トリートメント量を、家庭用美容皮膚トリートメント装置１１４のコントローラ１１６に直接通信し、ひいては、その決定された電磁エネルギーの特定最適トリートメント量に基づいて美容装置１１４を作動させる。
【００２７】
ここで図３Ａを参照する。これは、一例に係るポータブルコンピュータ１００のアプリ１２０のディスプレイ３００の簡単な例示である。ディスプレイ３００は、時間コード３０２、尺度バー３０４及び／又は尺度フレーム３０６のような表示コンポーネント、並びにシリアル番号３０８又はバーコード３１０のような画像識別子を含む。すべての表示コンポーネントは、画像が表示又は印刷されるときはいつでも含まれ得る。
【００２８】
尺度バー３０４は、例えば、しわのような欠陥の線寸法、又は毛の長さを測定するべく使用され、尺度フレーム３０６は、色素沈着病変又は毛で覆われた特定の限られた領域のような丸い又は同様の欠陥の寸法を測定するべく使用される。測定及び測定入力は、ユーザが手動によって行うことができる。代替的に、画像３２０、４２０及び／又は４２２（図４）のような画像に現れる傷跡、しわ、毛又は色素沈着病変のような皮膚セグメント１５０の様々な部分の測定値及び寸法は、当該画像から自動的に導出されて装置１００のプロセッサ１０４によって処理される。
【００２９】
付加的かつ随意的に、ポータブルコンピュータ１００のアプリ１２０のディスプレイ３００は、画像が撮影された日の時刻及び／又は日付を示す時間コードも含む。その結果、例えば、カメラ１０６が撮影した画像のログ記録をつけること、又は、将来の参照を目的として一連の画像が撮影された並び順を文書化することができる。
【００３０】
図３Ｂは、一例に係るアプリ１２０（図１）を使用してディスプレイ３００上にリアルタイムで見える撮影画像３２０の簡単な例示を描く。ユーザは、皮膚セグメント１５０の撮影画像をディスプレイ３００を介して見ながら、画像３２０の尺度バー３０４及び／又は尺度フレーム３０６が、トリートメントが所望される毛３１４、一以上の色素沈着病変３１６、傷跡及び／又は一以上のしわ３１８のような皮膚セグメント１５０の一以上の部分と整合するように装置１００を操作することができる。表示された識別子、尺度及び時刻コードを含む撮影画像３２０は、プロセッサ１０４のメモリに格納され、代替的には、上述のようなプロセッサ１０４によって処理されて遠隔コンピュータ１１２に又は美容装置１１４のコントローラ１１６に直接送信される。
【００３１】
代替的に、ディスプレイ３００を介して皮膚セグメント１５０の撮影画像を見るユーザは、毛３１４、一以上の色素沈着病変３１６、傷跡及び／又は一以上のしわ３１８のような、トリートメントが所望される皮膚セグメント１５０の一以上の部分を撮影するべく装置１００を操作することができる。プロセッサ１０４は、撮影画像から、トリートメントが所望される皮膚セグメント１５０の一以上の部分のサイズ及び寸法を導出することができる。さらには、家庭用美容皮膚トリートメント装置１１４は、皮膚セグメント１５０内の毛の本数、毛の密度、毛の色素、毛の長さ及び太さ、並びに毛の位置、トリートメント所望領域の色素パラメータ、電磁エネルギーのタイプ、量、適用持続時間等のような、適用される電磁エネルギーのパラメータを含むパラメータ群から選択されるパラメータのような他の情報を評価する。この構成において、ディスプレイ３００（図３Ａ）のような装置１００のディスプレイは、ディスプレイ３００上に現れない時間コード及び／又は他の情報のみを表示する。
【００３２】
プロセッサ１０４（図１）は、画像３２０に撮影された上述のパラメータのような皮膚セグメント１５０の一以上の部分のパラメータに関する情報を分析かつ抽出し、及び、皮膚１５０セグメント（図２）内の一以上の皮膚区画（図示せず）に適用される電磁エネルギーの、例えば毛のトリートメント量のような、特定最適皮膚トリートメント量を決定する。
【００３３】
代替的かつ随意的に、装置１００は、電磁エネルギーの、決定された特定最適毛トリートメント量を、脱毛家庭用美容皮膚トリートメント装置１１４のコントローラ１１６に通信して美容装置１１４を作動させるべくアプリ１２０を用いる。
【００３４】
ここで図４Ａを参照する。これは、他例に係るポータブルコンピュータ１００のアプリ１２０（図１）のディスプレイ４００の簡単な例示である。図４Ａに示されるように、アプリ１２０は、色素沈着病変３１６（図３Ｂ及び４Ｂ）の美容トリートメントを目的とするディスプレイを含む。ディスプレイ３００（図３Ａ）と同様に、ディスプレイ４００もまた、表示コンポーネント、例えば時刻コード３０２、及び、シリアル番号３０８又はバーコード３１０のような画像識別子を含む。追加的に、ディスプレイ４００は、透明材料から作られた窓４０４に隣接する皮膚色素沈着又は皮膚色調基準４０２のような追加の表示コンポーネントも含む。窓４０４には十字線ガイド４０６が印刷される。
【００３５】
代替的かつ随意的に、プロセッサ１０４は、関連付けられたメモリから一以上の表示要素を抽出する。これは、例えば、尺度バー３０４又は尺度フレーム３０６及び皮膚色素沈着又は皮膚色調基準４０２のような尺度を含む。表示される要素は、例えば、撮影画像のディスプレイ３００／４００の周囲領域において、撮影画像の視認をブロックすることがないように、撮影画像のディスプレイ３００／４００上に重畳される。異なるコンピュータ／装置は異なるタイプのディスプレイを有するので、再現された撮影画像は、コンピュータ／装置間で変わり得ることとなり、必ずしも、撮影画像に現れる皮膚セグメントの実際の色素沈着及び／又は色調の忠実な再現とはならない。忠実な色の再現を確実にするべく、各ディスプレイに対し、インターナショナル・カラー・コンソーシアム（登録商標）（http://www.color.org）が開発したＩＣＣカラー・プロファイリング技術を適用することができる。
【００３６】
図４Ｂは、他例に係るアプリ１２０の使用により、ディスプレイ４００の窓４０４においてリアルタイムで見える撮影画像４２０の簡単な例示である。ユーザは、十字線ガイド４０６を、色素沈着病変３１６のようなトリートメント所望領域に整合させるようにして、装置１００を操作することができる。タッチ画面１１８（図２）を用いるユーザは、皮膚セグメント１５０におけるトリートメント所望領域の色に最も近い色の色素基準４０２を、選択される基準４０２を押すことによって選択することができる。図４Ｂにおいて、トリートメント所望領域の色素沈着病変３１６に最も近い色として現れる色素基準は、色素基準４０２−１である。
【００３７】
プロセッサ１０４（図１）は、画像４２０に撮影されたトリートメント所望領域（例えば色素沈着病変３１６）の色素パラメータに関する情報を分析かつ抽出し、その抽出された情報に基づいて、皮膚セグメント１５０を包含する色素沈着病変３１６内の一以上の皮膚区画（図示せず）に適用される電磁エネルギーの特定最適色素病変除去トリートメント量を決定する。
【００３８】
代替的かつ随意的に、装置１００は、アプリ１２０（図１）を用いて、電磁エネルギーの決定された特定最適色素病変除去トリートメント量を、色素トリートメントの家庭用美容皮膚トリートメント装置１１４のコントローラ１１６（図１及び２）に通信して美容装置１１４を作動させる。
【００３９】
代替的かつ随意的に、及び、さらなる他例に係るポータブルコンピュータ１００のアプリ１２０（図１）のディスプレイ４００の簡単な例示である図４Ｃに示されるように、アプリ１２０は、色素沈着病変の美容トリートメントを目的とした、窓４０４（図４Ａ）がないディスプレイを含む。十字線ガイド４０６は、アプリ１２０（図１）のディスプレイ４００の任意箇所に位置決めされるので、ユーザの所望どおりにディスプレイ４００内で操作されかつ可動となる。この構成において、ユーザは、以下に詳述されるように、色素沈着病変４１６及び４１８（図４Ｄ）のようないくつかの所望トリートメント対象領域上に十字線を持ってくることができる。
【００４０】
図４Ｄは、さらなる他例に係るアプリ１２０（図１）の使用により、ディスプレイ４００（図４Ｃ）上にリアルタイムで見える撮影画像４２２の簡単な例示である。ユーザは、十字線ガイド４０６を、例えば色素沈着病変４１６のような第１のトリートメント所望領域にドラッグし、例えば十字線ガイド４０６をダブルクリックすることによって当該位置をマークすることができる。タッチ画面１１８（図２）を用いるユーザは、皮膚セグメント１５０（図２）におけるトリートメント所望領域の色に最も近い色の色素基準４０２を、選択される基準４０２を押すことによって選択することができる。
【００４１】
代替的に、ディスプレイ４００を介して皮膚セグメント１５０の撮影画像を見るユーザは、一以上の色素沈着病変４１６／４１８のような、トリートメントが所望される皮膚セグメント１５０の一以上の部分を撮影するべく装置１００を操作することができる。プロセッサ１０４（図１）は、撮影画像から、トリートメントが所望される皮膚セグメント１５０の、一以上の色素沈着病変４１６／４１８の色素の色調並びにサイズ及び寸法を導出することができる。さらには、電磁エネルギーのタイプ、量、適用持続時間等のような、適用される電磁エネルギーのパラメータを含むパラメータ群から選択されるパラメータのような他の情報を評価する。この構成において、ディスプレイ４００（図４Ａ及び４Ｃ）のような装置１００のディスプレイは、ディスプレイ４００上に現れない時間コード及び／又は他の情報のみを表示する。
【００４２】
この処理は、ユーザが十字線ガイド４０６を、例えば色素沈着病変４１８のような第２のトリートメント所望領域にドラッグし、例えば十字線ガイド４０６をダブルクリックして当該位置をマークすることによって、所望の回数だけ繰り返すことができる。タッチ画面１１８（図２）を用いるユーザは、皮膚セグメント１５０におけるトリートメント所望領域の色に最も近い色の色素基準４０２を、選択される基準４０２を押すことによって選択することができる。
【００４３】
図４Ｄにおいて、トリートメント所望領域の色素沈着病変４１６に最も近い色として現れる色素基準は色素基準４０２−２であり、かつ、トリートメント所望領域の色素沈着病変４１８に最も近い色として現れる色素基準は色素基準４０２−３である。
【００４４】
プロセッサ１０４は、画像４２２に撮影されたトリートメント所望領域（例えば色素沈着病変４１６又は４１８）の色素パラメータに関する情報を分析かつ抽出し、その抽出された情報に基づいて、皮膚セグメント１５０を包含する色素沈着病変４１６及び／又は４１８内にある一以上の皮膚区画（図示せず）のそれぞれに適用される電磁エネルギーの特定最適色素病変除去トリートメント量を決定する。
【００４５】
代替的かつ随意的に、装置１００は、アプリ１２０を用いて、トリートメントを受ける色素沈着病変それぞれの、電磁エネルギーの決定された特定最適色素病変除去トリートメント量を、色素トリートメントの家庭用美容皮膚トリートメント装置１１４のコントローラ１１６（図１及び２）に通信して美容装置１１４（図１及び２）を作動させる。
【００４６】
ここで図５Ａを参照する。これは、一例に係る装置１００を適用する方法に使用されるパッチの平面図の簡単な例示である。パッチ５００は、紙、ナイロン、プラスチック、人工又は天然布地のような生体適合性弾性材料５０２のシートから作られたステッカーである。その第１表面５０４は、皮膚セグメント１５０のような生体表面に容易に接着可能な粘着層５０６を形成する生体適合性接着剤によって覆われる。パッチ５００の反対側の、第１表面５０４に対向する第２表面５０８は、尺度バー３０４（図３Ａ）のような尺度バー５１０の印刷を含む。剥離可能な保護裏当て層５１２は、粘着層５０６を覆い、かつ、皮膚セグメント１５０へのパッチ５００適用前に除かれる。パッチ５００は、例えばバーコード３１２のような識別子も担持する。
【００４７】
パッチ５００は、不透明、半透明又は透明であって、図５Ｂに描かれるしわのような線形等の欠陥又は毛の長さを測定するべく使用される。パッチ５００の使用により、アプリ１２０が表示する尺度３０４（図３Ａ）のような尺度の必要性がなくなる。この場合、ディスプレイ３００（図３Ａ）のようなディスプレイは、パッチ５００上に現れない時間コード及び／又は他の情報のみを表示する。
【００４８】
ここで図５Ｂを参照する。これは、一例に係る装置１００の使用においてパッチ５００を適用する方法を簡単に例示する側方から見た斜視図である。パッチ５００は、裏当て層５１２を剥離して粘着層５０６をむき出しにすることにより、図５Ｂにおいて破線で境界が画定された皮膚セグメント１５０に接着される。粘着層５０６は、印刷された第２表面５０８が皮膚セグメント１５０から離れる方を向くように皮膚セグメント１５０に適用される。図５Ｂにおいて、パッチ５００は透明であって、尺度バー３０４（図３Ａ）のような尺度バー５１０の刻印を含む。透明パッチは、撮影画像から導出される情報の精度に影響しないように選択された材料から作られる。パッチ５００は、尺度５１０が、トリートメントが所望される図５Ｂではしわ３１８によって描かれる病変に隣接して又は図５Ｂに描かれるように重ねられて、配置される。
【００４９】
ユーザは、カメラ１０２を作動させて、画像３２０（図３Ｂ）又は４２２（図４Ｄ）のような、点線によって表現されるパッチ５００を含む皮膚セグメント１５０の画像を撮影することができる。画像は処理され、上述の家庭用美容皮膚トリートメント装置１１４の遠隔コンピュータ１１２又はコントローラ１１６に通信される。
【００５０】
ここで図６を参照する。これは、他例に係る装置１００の使用においてパッチ６００を適用する方法を簡単に例示する側方から見た斜視図である。図５のパッチ５００の構造と同様のパッチ６００は、追加として、弾性生体適合性透明材料から作られ、かつ、十字線ガイド４０６の刻印を担持するアパチャ６０４を含む。代替的かつ随意的に、アパチャ６０４は、パッチ６００における切り抜きである。この場合、パッチ６００は十字線ガイド４０６を含まない。
【００５１】
パッチ６００はまた、図４Ａ及び４Ｂの基準４０２と同様の皮膚色素基準６０２をアパチャ６０４に隣接して含む。パッチ６００は、例えばバーコード３１２のような識別子を担持することもできる。
【００５２】
パッチ６００の使用により、アプリ１２０が表示する皮膚色素基準４０２（図４Ａ及び４Ｃ）のような皮膚色素基準の必要性がなくなる。この場合、ディスプレイ４００（図３Ａ）のようなディスプレイは、パッチ６００上に現れない時間コード及び／又は他の情報のみを表示する。
【００５３】
パッチ６００は、図５において記載されたものと同様の態様で、図６において破線で境界が画定された皮膚セグメント１５０に接着される。パッチ６００は、トリートメントが所望される色素沈着病変６１６がアパチャ６０４に現れるように、皮膚色素沈着又は皮膚色調基準４０２に隣接して配置される。
【００５４】
ユーザは、カメラ１０２を作動させて、画像３２０（図３Ｂ）又は４２２（図４Ｄ）のような、点線によって表現されるパッチ６００及び色素沈着病変６１６を含む皮膚セグメント１５０の画像を撮影することができる。画像は処理され、上述の家庭用美容皮膚トリートメント装置１１４の遠隔コンピュータ１１２又はコントローラ１１６に通信される。
【００５５】
ここで図７を参照する。これは、さらなる他例に係る装置１００の使用においてパッチ７００を適用する方法を簡単に例示する側方から見た斜視図である。
【００５６】
図５のパッチ５００の構造と同様のパッチ７００は、追加として、図４Ａ、４Ｂ及び６の基準４０２と同様の、パッチ５００（図５）と同様のパッチに配列された皮膚色素基準７０２を含む。パッチ７００は、例えばバーコード３１２のような識別子も担持する。図７において、パッチ７００は透明である。
【００５７】
パッチ７００は、図５において記載されたものと同様の態様で、図７において破線で境界が画定された皮膚セグメント１５０に接着される。パッチ７００は、トリートメントが所望される色素沈着病変７１６に隣接又は並行して又は図７に描かれるように重ねられて、皮膚色素又は皮膚色調基準４０２が色素沈着病変７１６と容易に比較されるように配置される。（皮膚色素又は皮膚色調基準は、周知のフィッツパトリック分類尺度http://dermatology.about.com/od/cosmeticprocedure/a/fitzpatrick.htmに従って選択されている。）
【００５８】
ユーザは、カメラ１０２を作動させて、画像３２０（図３Ｂ）又は４２２（図４Ｄ）のような、点線によって表現されるパッチ７００及び色素沈着病変７１６を含む皮膚セグメント１５０の画像を撮影することができる。画像は処理され、上述の家庭用美容皮膚トリートメント装置１１４の遠隔コンピュータ１１２又はコントローラ１１６に通信される。
【００５９】
上述のように、パッチ５００は、毛及び欠陥（例えば傷跡、しわ及び色素沈着病変）の長さ、幅、直径、及び相対サイズ比較を目的とする尺度として使用することができる。パッチ６００及び７００は、（例えば、脱毛光学エネルギートリートメントを補足するための）皮膚色素又は皮膚色調の決定、皮膚又は病変の色素沈着レベル、毛の色素沈着等と目的として使用することができる。
【００６０】
ここで図８を参照する。これは、一例に係る装置１００のアプリ１２０を使用する方法を例示するブロック図である。ユーザは、例えば、家庭用美容皮膚トリートメント装置１１４のシリアル番号、型番号若しくは指定された識別番号を入力することにより、又は、アプリ１２０が与えるロールダウン・テーブルから装置１１４のタイプを選択することにより、装置１００の家庭用美容皮膚トリートメント装置１１４に識別子を入力する（ブロック８０２）。代替的かつ随意的に、ユーザは、（与えられていれば）家庭用美容皮膚トリートメント装置１１４上のバーコードをスキャンして自動的にアプリ１２０に当該美容装置を識別させることができる。代替的かつ随意的に、装置１００は、ＵＳＢ接続ケーブル等のような指定された通信ケーブルにより家庭用美容皮膚トリートメント装置１１４に物理的に、又は、例えばＢｌｕｅｔｏｏｔｈ（登録商標）のような周知の無線通信プロトコルを使用して接続される。代替的かつ随意的に、ユーザは、例えば美容処置のロールダウン・リストから選択される所望の処置を入力することもできる。
【００６１】
アプリ１２０は、家庭用美容皮膚トリートメント装置１１４を識別して、家庭用美容皮膚トリートメント装置１１４又は行うべき美容処置に対応するディスプレイを選択する（ブロック８０４）。例えば、脱毛表示（ブロック８０６）等が、例えばディスプレイ３００（図３Ａ）に、色素沈着病変除去表示（ブロック８０８）等が、例えばディスプレイ４００（図４Ａ）に、又はディスプレイ３００及び４００の組み合わせが、例えばディスプレイ３００（図３Ａ）のような、しわトリートメント表示（ブロック８１０）に対応する。当業者にはわかることだが、上述のアプリ１２０のディスプレイは、例のみを表示し、実際のアプリ１２０のディスプレイは、追加の及び／若しくは他の表示コンポーネント又はこれらの組み合わせを含む。
【００６２】
ひとたびアプリ１２０が、タッチ作動表示画面１１８（図２）上の関連ディスプレイに表示されると、ユーザは、トリートメントが所望される皮膚セグメント１５０が、画面１１８上のディスプレイに現れるように装置１００を操作することができる（ブロック８１２）。ユーザはその後、カメラ１０２（図２）を作動させて、画像トリートメントが所望される皮膚セグメント１５０（図２）の画像３２０（図３Ｂ）、４２０（４Ｂ）又は４２２（図４Ｄ）のような画像を撮影することができる（ブロック８１４）。
【００６３】
ひとたび画像が撮影されると、アプリ１２０はユーザに対し、表示された下記オプションの群からとるべきアクションを選択するように要求する（ブロック８１６）。
・家庭用美容皮膚トリートメント装置１１４を作動させること（ブロック８２０）、
・識別された家庭用美容皮膚トリートメント装置１１４の設定を変更し、及び、撮影画像３２０の処理結果から導出された推奨皮膚トリートメントプロトコルを適用すること（ブロック８１８）、
・並びに／又は
・原画像を遠隔コンピュータ１１２（図１）に通信すること（ブロック８２２）。
【００６４】
いくつかの例では、携帯電話又はタブレットコンピュータカメラは、皮膚セグメントの画像を撮影して、その撮影画像を、上述の所望皮膚トリートメントを目的とする電磁エネルギーの特定最適量を導出するべく処理する。撮影画像の処理結果である皮膚トリートメントの設定（すなわち電磁エネルギーの特定最適量）が、ユーザに対する一組の命令の形態で携帯電話又はタブレットコンピュータ画面上に表示される。ユーザは、電磁エネルギーを放出する家庭用美容皮膚トリートメント装置に、所望皮膚トリートメントを目的とする電磁エネルギーの特定最適量を手動で入力し、それに引き続き、家庭用美容皮膚トリートメント装置は、当該電磁エネルギーを放出する家庭用美容皮膚トリートメント装置に、導出された電磁エネルギーの特定最適量に基づいて所望皮膚トリートメントを行わせる。
【００６５】
付加的又は代替的に、ユーザは、撮影画像を選択して、装置１００のプロセッサ１０４のメモリに格納する（ブロック８２４）。付加的又は代替的に、原画像は、カメラ１０２の作動及び皮膚セグメント１５０の画像の撮影（ブロック８１４）に引き続いて自動的に格納される。
【００６６】
ユーザが、設定の変更又は家庭用美容皮膚トリートメント装置１１４の作動の少なくとも一つを選択すると、プロセッサ１０４は、撮影画像と、上述のような、毛の本数、毛の密度、毛の色素、毛の長さ及び太さ、及び皮膚セグメント１５０内の毛の位置を含むパラメータ群から選択された毛パラメータ、トリートメント所望領域の色素パラメータ、並びに皮膚セグメント１５０に適用される電磁エネルギーのパラメータのような他の入力された情報とを処理し（ブロック８２６）、その処理された情報を遠隔コンピュータ１１２及び／又はコントローラ１１６に通信する（ブロック８２８）。付加的又は代替的に、プロセッサ１０４は、撮影された原画像（ブロック８１４）を遠隔コンピュータ１１２に通信する（ブロック９２８）。
【００６７】
代替的かつ随意的に、装置１００のプロセッサ１０４は、皮膚セグメントの現在撮影中の画像（ブロック８１４）を、プロセッサ１０４のメモリから取得され、現在の処置の適用に先立って又は先の処置中に撮影され、及び携帯電話又はタブレットコンピュータプロセッサ１０４のメモリに格納された（ブロック８２４）同皮膚セグメントの画像と比較することによって美容処置の進捗を監視する。その比較から抽出された情報は、上述のパラメータとともに統合かつ処理される（ブロック８２８）。
【００６８】
ここで図９を参照する。これは、他例に係る装置１００のアプリ１２０を使用する方法を例示するブロック図である。ユーザは、例えば、パッチ５００／６００／７００のシリアル番号、指定された識別番号を入力することにより、又は、例えば、アプリ１２０が与えるロールダウン・テーブルからパッチ５００／６００／７００のタイプを選択することにより、装置１００にパッチ５００／６００／７００の識別子を入力する（ブロック９０２）。代替的かつ随意的に、ユーザは、パッチ５００／６００／７００上のバーコードのようなパッチ５００／６００／７００の識別子をスキャンして自動的にアプリ１２０に、特定のパッチ５００／６００／７００に関連付けられた家庭用美容皮膚トリートメント装置１１４を識別させることができる。代替的かつ随意的に、装置１００は、ＵＳＢ接続ケーブル等のような指定された通信ケーブルにより特定のパッチ５００／６００／７００に関連付けられた家庭用美容皮膚トリートメント装置１１４に物理的に接続される。代替的かつ随意的に、ユーザは、例えば美容処置のロールダウン・リストから選択される所望の処置を入力することもできる。
【００６９】
アプリ１２０は、識別されたパッチ５００／６００／７００に対応する家庭用美容皮膚トリートメント装置１１４を識別し（ブロック９０４）、随意的に、アプリ１２０が識別した装置１１４が、入力されたパッチ５００／６００／７００識別子情報に関連付けられた正しい家庭用美容装置である場合にのみ、家庭用美容皮膚トリートメント装置１１４の作動を可能にすることができる。
【００７０】
ひとたびパッチ５００／６００／７００及び対応する家庭用美容皮膚トリートメント装置１１４が識別されると、アプリ１２０は、ユーザに対し、トリートメントが所望される皮膚セグメント１５０にパッチを適用するように指示し（ブロック９０６）、それに引き続き、ユーザが当該パッチを皮膚セグメント１５０に適用する（９０８）。
【００７１】
ユーザは、パッチ５００／６００／７００を含んだトリートメントが所望される皮膚セグメント１５０が、画面１１８上の表示に現れるように装置１００を操作することができる（ブロック９１２）。ユーザはその後、カメラ１０２（図２）を作動させて、トリートメントが所望される皮膚セグメント１５０（図２）の画像のような画像をパッチ５００／６００／７００と一緒に撮影することができる（ブロック９１４）。
【００７２】
ひとたび画像が撮影されると、アプリ１２０はユーザに対し、表示された下記オプションの群からとるべきアクションを選択するように要求する（ブロック９１６）。
・家庭用美容皮膚トリートメント装置１１４を作動させること（ブロック９２０）、及び／又は
・識別された家庭用美容皮膚トリートメント装置１１４の設定を適用すること（ブロック９１８）、
・原画像を遠隔コンピュータ１１２（図１）に通信すること（ブロック９２２）。
【００７３】
付加的又は代替的に、ユーザは、撮影画像を選択して装置１００のプロセッサ１０４のメモリに格納する（ブロック９２４）。付加的又は代替的に、原画像は、カメラ１０２の作動及び皮膚セグメント１５０の画像の撮影（ブロック９１４）に引き続いて自動的に格納される。
【００７４】
ユーザが、設定の変更又は家庭用美容皮膚トリートメント装置１１４の作動の少なくとも一つを選択すると、プロセッサ１０４は、撮影画像と、上述のような、毛の本数、毛の密度、毛の色素、毛の長さ及び太さ、及び皮膚セグメント１５０内の毛の位置を含むパラメータ群から選択された毛パラメータ、トリートメント所望領域の色素パラメータ、並びに皮膚セグメント１５０に適用される電磁エネルギーのパラメータのような他の入力された情報とを処理し（ブロック９２６）、その処理された情報を遠隔コンピュータ１１２及び／又はコントローラ１１６に通信する（ブロック９２８）。付加的又は代替的に、プロセッサ１０４は、撮影された原画像（ブロック９１４）を遠隔コンピュータ１１２に通信する（ブロック９２８）。
【００７５】
代替的かつ随意的に、装置１００のプロセッサ１０４は、皮膚セグメントの現在撮影中の画像（ブロック９１４）を、プロセッサ１０４のメモリから取得され、現在の処置に先立って又は先の処置中に撮影され、及び携帯電話又はタブレットコンピュータプロセッサ１０４のメモリに格納された（ブロック９２４）同皮膚セグメントの画像と比較することによって美容処置の進捗を監視する。その比較から抽出された情報は、上述のパラメータとともに統合かつ処理される（ブロック９２８）。
【００７６】
当業者にはわかることだが、本方法及びシステムは、特に上に示され及び記載されたものに限られない。むしろ、本方法及びシステムの範囲は、上述の様々な特徴のコンビネーション及びサブコンビネーションの双方、並びに、上述の説明を読んで当業者に想起されるが先行技術ではない修正例及び変形例を含む。
【図１】
2015531295.tif 000003
【図２】
2015531295.tif 000004
【図３Ａ】
2015531295.tif 000005
【図３Ｂ】
2015531295.tif 000006
【図４Ａ】
2015531295.tif 000007
【図４Ｂ】
2015531295.tif 000008
【図４Ｃ】
2015531295.tif 000009
【図４Ｄ】
2015531295.tif 000010
【図５Ａ】
2015531295.tif 000011
【図５Ｂ】
2015531295.tif 000012
【図６】
2015531295.tif 000013
【図７】
2015531295.tif 000014
【図８】
2015531295.tif 000015
【図９】
2015531295.tif 000016
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
個人用皮膚処置のシステムであって、
カメラを備えた携帯電話又はタブレットコンピュータと、
電磁エネルギーを放出する家庭用美容皮膚トリートメント装置と
を含み、
前記家庭用美容皮膚トリートメント装置は、
少なくとも一つのコントローラと、
少なくとも前記携帯電話と前記家庭用美容皮膚トリートメント装置との間の通信リンクと、
ユーザの皮膚に接着可能なパッチであって、時間コード、尺度バー、尺度フレーム、数値画像識別子及び皮膚色素基準の少なくとも一つを含むパッチと
を含むシステム。
【請求項２】
前記携帯電話又はタブレットコンピュータはさらに、
皮膚セグメントの画像を撮影することと、
前記画像を分析かつ処理して前記画像から前記皮膚セグメントに関する情報を抽出することと、
抽出された前記情報に基づいて前記皮膚セグメント内の一以上の皮膚区画に対する電磁又は機械エネルギーの特定最適処置量を決定することと、
決定された電磁エネルギーの特定最適処置量に基づいて、電磁又は機械エネルギーを放出する家庭用美容皮膚トリートメント装置の設定を変更することと
を行うべく構成された美容皮膚処置ソフトウェアアプリケーション（アプリ）を実行するプロセッサを含む請求項１に記載のシステム。
【請求項３】
前記パッチは不透明、半透明又は透明である請求項１に記載のシステム。
【請求項４】
個人用皮膚処置のシステムであって、
カメラを備えた少なくとも一つのポータブルコンピュータと、
前記コンピュータで実行される少なくとも一つのソフトウェアアプリケーション（アプリ）と、
少なくとも一つの電磁エネルギーを放出する家庭用美容トリートメント装置と、
前記ポータブルコンピュータと前記美容トリートメント装置との間の少なくとも一つの通信リンクと、
トリートメントが所望される皮膚セグメントへのパッチであって、時間コード、尺度バー、尺度フレーム、数値画像識別子及び皮膚色素基準の少なくとも一つを含むパッチと
を含み、
前記アプリは前記コンピュータを用いて
前記皮膚セグメント及び前記パッチの画像を分析かつ処理して前記画像から前記皮膚セグメントに関する情報を抽出することと、
抽出された前記情報に基づいて前記皮膚セグメント内の一以上の皮膚区画に対する光エネルギーの特定最適処置量を決定することと、
決定された前記光エネルギーの特定最適処置量に基づいて、光エネルギーを放出する家庭用美容トリートメント装置の設定を変更すること、及び、決定された前記光エネルギーの特定最適処置量に基づいて、光エネルギーを放出する家庭用美容トリートメント装置を作動させることの少なくとも一つと
を行わせるシステム。
【請求項５】
前記アプリはさらに、入力された美容装置を識別して対応するディスプレイを選択する請求項４に記載のシステム。
【請求項６】
前記アプリはさらに、
前記カメラが撮影した原画像を遠隔コンピュータに通信することと、
決定された光エネルギーの特定最適処置量に基づいて、識別された家庭用美容トリートメント装置の設定を変更すること、及び／又は、前記識別された家庭用美容皮膚トリートメント装置を作動させることと
を行う請求項５に記載のシステム。
【請求項７】
携帯電話又はタブレットコンピュータカメラが、毛に覆われた皮膚セグメントの画像を撮影する方法であって、
トリートメントが所望される皮膚セグメントにパッチを適用することであって、前記パッチは時間コード、尺度バー、尺度フレーム、数値画像識別子及び皮膚色素基準の少なくとも一つを含むことと、
前記トリートメントが所望される皮膚セグメント及び前記パッチの画像を撮影することと、
前記画像を分析かつ処理して前記画像から前記皮膚セグメントの一以上の部分に関する情報を抽出することと、
抽出された前記情報に基づいて前記皮膚セグメント内の一以上の皮膚区画に対する電磁又は機械エネルギーの特定最適処置量を決定することと
を含む方法。
【請求項８】
前記皮膚セグメントの一以上の部分に関する情報は、前記皮膚セグメント上の毛の密度、個々の毛の直径、毛の色素沈着、皮膚の色素沈着、及び前記皮膚セグメント上の個々の毛の位置からなるパラメータ群から選択された少なくとも一つのパラメータを含む請求項７に記載の方法。
【請求項９】
前記パラメータは、
トリートメント所望領域の色素パラメータと、
前記皮膚セグメントに適用される電磁エネルギーのパラメータと
をさらに含む請求項８に記載の方法。
【請求項１０】
カメラが撮影した画像において前記皮膚セグメントの美容処置を目的とする前記特定最適処置量を決定するべく携帯電話又はタブレットコンピュータプロセッサを使用することをさらに含む請求項７に記載の方法。
【請求項１１】
前記皮膚セグメントの美容処置を目的としかつ撮影された前記トリートメントが所望される皮膚セグメント及び前記パッチの画像に対応する特定最適処置量を、家庭用美容皮膚トリートメント装置に通信するべく前記携帯電話又はタブレットコンピュータプロセッサを使用することをさらに含む請求項８又は１０に記載の方法。
【請求項１２】
前記皮膚セグメントの一以上の部分及び前記パッチの画像をディスプレイ上に表示することと、
前記画像を携帯電話又はタブレットコンピュータのメモリに格納することと
をさらに含む請求項７に記載の方法。
【請求項１３】
前記皮膚セグメントの現在撮影中の画像を、現在の処置の適用に先立って又は先の処置中に撮影され、及び携帯電話又はタブレットコンピュータのメモリに格納された同じ皮膚セグメントの画像と比較することによって美容処置の進捗を監視することをさらに含む請求項７に記載の方法。
【請求項１４】
携帯電話又はタブレットコンピュータカメラを、
皮膚セグメントの画像を撮影することと、
決定された電磁エネルギーの特定最適処置量に基づいて、電磁エネルギーを放出する家庭用美容皮膚トリートメント装置の設定を変更することと
を目的として使用することと、
前記家庭用美容皮膚トリートメント装置を作動させることと
をさらに含む請求項７に記載の方法。
【請求項１５】
前記数値画像識別子はシリアル番号及びバーコードの少なくとも一つである請求項１に記載のシステム。
【国際調査報告】
2015531295.tif 000017